(57)【要約】【課題】大型であり剛性が低い薄板状部品であっても、４点で支持された安定した立ち姿勢を容易に確保することのできる、より改良された梱包体を提供する。【解決手段】梱包体Ａは、底ケース１に立設可能な後壁（第１の受け壁）２と第１左右側壁（第１の側壁）３，４と、底ケース１の前後方向に隔離して配置される発泡樹脂からなる一対の下縁部支持部材１０ａ、１０ｂと、後壁２に水平方向に取り付けられる発泡樹脂からなる受け部材２０と、一対の下縁部支持部材１０ａ、１０ｂと受け部材２０により３点が支持された姿勢にある薄板状部品Ｂの上隅部近傍を支持するための発泡樹脂からなる上隅部支持部材３０とを少なくとも備える。上隅部支持部材３０の好ましい態様では、上隅部支持部材は複数個の分割した支持部材構成体６１とそれを自由に分離しないように連接する連結体６５とにより構成される。【選択図】図３
2010095298.tif 000002
【特許請求の範囲】
【請求項１】
立ち姿勢で複数枚の薄板状部品を並行に梱包するのに用いる梱包資材であって、
前記梱包資材としての支持部材は、前記立ち姿勢で複数枚の薄板状部品を並行に梱包するときに、複数枚の薄板状部品に対して水平方向に前記複数枚の薄板状部品の縁の一部をそれぞれ嵌め入れる複数の凹溝が形成されており、かつ、前記支持部材は複数個の分割された支持部材構成体からなると共に、前記支持部材構成体を連接させて結合させる結合機構を備えている梱包資材。
【請求項２】
前記支持部材構成体は、少なくとも１つの前記凹溝を有している請求項１に記載の梱包資材。
【請求項３】
前記結合機構は、連接されて結合される前記支持部材構成体において、一の支持部材構成体に当接する面には少なくとも１以上の凸部が形成され、他の支持部材構成体に当接する面には、前記凸部が嵌め込まれる凹部が形成された構成を有する請求項１または２に記載の梱包資材。
【請求項４】
前記結合機構は、連接されて結合される複数個の支持部材構成体には凹溝または貫通孔が連通するようにして形成され、前記凹溝または貫通孔に挿通させる連結体を備えた構成を有する請求項１〜３のいずれか一項に記載の梱包資材。
【請求項５】
立ち姿勢で複数枚の薄板状部品を並行に梱包する梱包体であって、
底ケースと前記底ケースに立設された第１の受け壁と、
立ち姿勢の薄板状部品の両側下縁部をそれぞれ支持するために前記底ケースに隔離して配置される発泡樹脂からなる一対の下縁部支持部材と、
前記第１の受け壁に水平方向に取り付けられる発泡樹脂からなる受け部材と、
前記一対の下縁部支持部材と受け部材により３点が支持された姿勢にある薄板状部品の上隅部近傍を支持するための発泡樹脂からなる上隅部支持部材と、
を少なくとも備える梱包体。
【請求項６】
立ち姿勢で複数枚の薄板状部品を並行に梱包する梱包体であって、
底ケースと前記底ケースに立設された第１の受け壁と、
立ち姿勢の薄板状部品の両側下縁部をそれぞれ支持するために前記底ケースに隔離して配置される発泡樹脂からなる一対の下縁部支持部材と、
前記第１の受け壁に水平方向に取り付けられる発泡樹脂からなる受け部材と、
前記一対の下縁部支持部材と受け部材により３点が支持された姿勢にある薄板状部品の上隅部近傍を支持するための請求項１〜４のいずれか一項に記載の梱包資材である上隅部支持部材と、
を少なくとも備える梱包体。
【請求項７】
前記立設された第１の受け壁の両側にそれぞれ壁面と垂直に設置される第１の側壁を備えた請求項５または６に記載の梱包体。
【請求項８】
前記受け部材が前記第１の受け壁に取り付けられる面には、複数の凸部が形成され、前記第１の受け壁には前記凸部が嵌め入れられる開口部が形成されている請求項５〜７のいずれか一項に記載の梱包体。
【請求項９】
前記下縁支持部材が前記底ケースに配置されるときに底ケースに当接する面には複数の凹部が形成され、前記底ケースには前記凸部が嵌め入れられる開口部が形成されている請求項５〜８のいずれか一項に記載の梱包体。
【請求項１０】
梱包する薄板状部品が面内に開口部を有する薄板状部品であるときに用いる請求項５〜９のいずれか一項に記載の梱包体であって、立ち姿勢で並行に梱包される薄板状部品の前記開口部に挿入される発泡樹脂の開口部支持部材をさらに備える梱包体。
【請求項１１】
請求項１０に記載の梱包体であって、前記第１の受け壁に平行な第２の受け壁と、第２の受け壁の両側にそれぞれ壁面と垂直に設置された第２の側壁と、蓋体をさらに備え、前記第１の側壁には前記開口部支持部材が通過できる第１開口が形成されており、前記第２の側壁には前記第１開口内に位置している前記開口部支持部材を押さえ付けることのできる位置に第２開口が形成されている梱包体。
【発明の詳細な説明】
【技術分野】
【０００１】
本発明は、立ち姿勢で複数枚の薄板状部品を並行に梱包するのに用いる梱包資材および梱包体に関し、より詳しくは、例えばフードアウターに代表されるような、比較的大型でありながら剛性が低く、かつそれ単独では立ち姿勢で自立できない薄板状部品の多数枚を、立ち姿勢で並行に梱包するための梱包資材および梱包体に関する。
【背景技術】
【０００２】
多くの分野で、製造部門から組み立て部門へ部品を梱包し輸送することが行われる。立ち姿勢で自立できない薄板状部品の多数枚を、輸送効率を上げるために立ち姿勢に梱包して輸送することが行われており、そのための梱包資材も提案されている。例えば、特許文献１には、段ボール製の底面シートに二列のワーク受部を多列に設け、左右側面シートの上部にワーク保持部を多列に設けるようにしたワーク支持体を用いたワーク梱包体が記載されており、ワークをワーク支持体に形成した前記２個のワーク受け部と２個のワーク保持部に上方から差し込むようにして嵌め込んで４点で支持した状態とし、その多数個を並立状態で保持するようにして、輸送や保管に供するようにしている。
【０００３】
【特許文献１】特開２００４−１３１１２２号公報
【発明の開示】
【発明が解決しようとする課題】
【０００４】
特許文献１に記載のワーク梱包体のように、ワークを下端部の２点と左右側縁の２点の計４箇所で支持することにより、ワークが薄板状部品であっても、比較的安定した姿勢でかつ立ち姿勢での梱包体が得られる。しかし、ワークが例えばフードアウターのように大型でありながら薄くかつ剛性が低い部品である場合に、ワークを左右側面シートの上部に形成したワーク保持部に上方から差し込むようにして入れ込むことは容易でなく、高い作業性が得られない不都合がある。
【０００５】
本発明は、上記のような事情に鑑みてなされたものであり、大型であり剛性が低い薄板状部品の複数枚を、立ち姿勢で並行に梱包するのを容易にすることのできる梱包資材と、そのような薄板状部品を４点で支持された安定した姿勢で容易に梱包することのできる梱包体を提供することを課題とする。
【課題を解決するための手段】
【０００６】
本発明による梱包資材は、立ち姿勢で複数枚の薄板状部品を並行に梱包するのに用いる梱包資材であって、前記梱包資材としての支持部材は、前記立ち姿勢で複数枚の薄板状部品を並行に梱包するときに、複数枚の薄板状部品に対して水平方向に前記複数枚の薄板状部品の縁の一部をそれぞれ嵌め入れる複数の凹溝が形成されており、かつ、前記支持部材は複数個の分割された支持部材構成体からなると共に、前記支持部材構成体を連接させて結合させる結合機構を備えている。
【０００７】
この梱包資材は使用に際して、適宜の手段により立ち姿勢で並行に保持されている複数枚の薄板状部品のそれぞれに、その縁部に凹溝を嵌め入れるようにして支持部材構成体を取り付ける。そして、取り付けた複数個の支持部材構成体を結合機構を用いて一体に連接する。支持部材構成体は複数個に分割していることから、それぞれの薄板状部品への取り付け作業は容易であり、さらに、取り付けた複数個の支持部材構成体は結合機構によって一体に連接されるので、取り付け後の支持部材構成体が分離することはない。
【０００８】
すなわち、上記の梱包資材を複数枚の薄板状部品を立ち姿勢で梱包するのに用いることにより、梱包作業を容易化できると共に、包装後の複数枚の薄板状部品はその立ち姿勢と並行姿勢を確実に保持することができるようになる。
【０００９】
本発明による梱包資材の一態様において、前記支持部材構成体は、少なくとも１つの前記凹溝を有しており、梱包する薄板状部品の形状によっては、２個以上の凹溝を有していてもよい。
【００１０】
本発明による梱包資材の一態様において、前記結合機構は、連接されて結合される前記支持部材構成体において、一の支持部材構成体に当接する面には少なくとも１以上の凸部が形成され、他の支持部材構成体に当接する面には、前記凸部が嵌め込まれる凹部が形成された構成を有している。また、他の態様において、前記結合機構は、連接されて結合される複数個の支持部材構成体には凹溝または貫通孔が連通するようにして形成され、前記凹溝または貫通孔に挿通させる連結体を備えた構成を有している。いずれの結合機構においても、複数個の支持部材構成体を容易にかつ安定した状態で一体に連接することができる。
【００１１】
本発明による立ち姿勢で複数枚の薄板状部品を並行に梱包する梱包体は、底ケースと前記底ケースに立設された第１の受け壁と、立ち姿勢の薄板状部品の両側下縁部をそれぞれ支持するために前記底ケースに隔離して配置される発泡樹脂からなる一対の下縁部支持部材と、前記第１の受け壁に水平方向に取り付けられる発泡樹脂からなる受け部材と、前記一対の下縁部支持部材と受け部材により３点が支持された姿勢にある薄板状部品の上隅部近傍を支持するための発泡樹脂からなる上隅部支持部材と、を少なくとも備える。
【００１２】
本発明による梱包体では、その梱包に当たり、底ケースの前後方向に所定距離だけ隔離させて発泡樹脂からなる一対の下縁部支持部材を配置する。また、底ケースに第１の受け壁を立設させ、該第１の受け壁に受け部材を水平方向に取り付ける。それにより、薄板状部品の下縁部の２箇所と側縁部の１箇所に対する計３箇所の支持箇所が形成される。３箇所の支持箇所によって３箇所の周縁が支持されるようにして、必要枚数の薄板状部品をセットすることにより、各薄板状部品は３点支持された立ち姿勢で並置された状態となる。このセッティングはきわめて容易に行うことができる。次に、上隅部支持部材を３点支持された姿勢にある薄板状部品の上隅部近傍に取り付ける。それにより、各薄板状部材は周囲の４点が支持された安定した立ち姿勢で保持される。その後、適宜の外側ケースで全体を覆うことによって、きわめて容易に、立ち姿勢で複数枚の薄板状部品を並行に梱包したなる梱包体を得ることができる。
【００１３】
本発明による梱包体の他の態様は、立ち姿勢で複数枚の薄板状部品を並行に梱包する梱包体であって、底ケースと前記底ケースに立設された第１の受け壁と、立ち姿勢の薄板状部品の両側下縁部をそれぞれ支持するために前記底ケースに隔離して配置される発泡樹脂からなる一対の下縁部支持部材と、前記第１の受け壁に水平方向に取り付けられる発泡樹脂からなる受け部材と、前記一対の下縁部支持部材と受け部材により３点が支持された姿勢にある薄板状部品の上隅部近傍を支持するための上記したいずれかの梱包資材である上隅部支持部材と、を少なくとも備える。
【００１４】
この態様では、上隅部支持部材（梱包用資材）は、複数個に分割した支持部材構成体を用いるので、梱包作業が容易化する。すなわち、すべての薄板状部材を前記３点支持状態とした後で、一部材である上隅部支持部材を薄板状部材群の上隅部近傍に取り付ける作業が困難を伴う場合があるが、上記態様では、１枚の薄板状部品を前記３点支持状態とするごとに、１個の分割された上隅部支持部材を取り付けることができるので、分割された上隅部支持部材の取り付け作業が容易となる。最後に、前記結合機構を用いて既に取り付けてある複数個の支持部材構成体を一体化することにより、各薄板状部材は周囲の４点が支持された安定した立ち姿勢となる。
【００１５】
本発明による梱包体の一態様において、前記立設された第１の受け壁の両側にそれぞれ壁面と垂直に設置された第１の側壁を備える。この態様では、４点支持された薄板状部品群を両側面側から覆うことができ、輸送や保管の完全性が確保される。好ましくは、第１の側壁を底ケースに固定することにより、受け部材を介して受ける薄板状部材の荷重に対して受け壁を補強することができる。
【００１６】
本発明による梱包体の一態様において、前記受け部材が前記第１の受け壁に取り付けられる面には、複数の凸部が形成され、前記第１の受け壁には前記凸部が嵌め入れられる開口部が形成されている。この態様では、受け部材の第１の受け壁に対する着脱が容易確実となる。
【００１７】
本発明による梱包体の一態様において、前記下縁支持部材が前記底ケースに配置されるときに底ケースに当接する面には複数の凹部が形成され、前記底ケースには前記凸部が嵌め入れられる開口部が形成されている。この態様では、下縁支持部材の底ケースに対する着脱が容易確実となる。
【００１８】
本発明において、梱包する薄板状部品の形状に制限はないが、１つの態様として、面内に開口部を有する薄板状部品が挙げられる。この形態の薄板状部品に対する本発明による梱包体では、立ち姿勢で並行に梱包される薄板状部品の前記開口部に挿入される発泡樹脂の開口部支持部材をさらに備える。開口部支持部材としては、複数枚の薄板状部品の開口部の周縁の一部を嵌め込む溝が形成されたものでも、押し付けることにより開口部の周縁が開口部支持部材を切り欠いて嵌め込まれるものでもよい。この態様では、４点支持された薄板状部品群における前記開口部に対して前記開口部支持部材を取り付けることにより、輸送中の振動により、隣接する薄板状部品が互いに接触したりあるいは開口部の周囲にクラックが発生するのを確実に阻止することができる。
【００１９】
本発明による、前記した薄板状部品における前記開口部に挿入可能な発泡樹脂の開口部支持部を備えた形態の梱包体において、好ましくは、前記第１の受け壁に平行な第２の受け壁と、第２の受け壁の両側にそれぞれ壁面と垂直に設置された第２の側壁と、蓋体をさらに備え、前記第１の側壁には前記開口部支持部材が通過できる第１開口が形成されており、前記第２の側壁には前記第１開口内に位置している前記開口部支持部材を押さえ付けることのできる位置に第２開口が形成されている。この態様では、４点支持された薄板状部品群の全体を覆うことができ、輸送や保管の完全性がさらに確保されることに加え、第２の側壁に形成した第２開口によって、４点支持された薄板状部品群における前記開口部に取り付けた前記開口部支持部材を押さえ付けることが可能となり、輸送時の振動で開口部支持部材が不用意に離脱するような事態が生じるのを回避することができる。
【００２０】
本発明において、発泡樹脂からなる一対の下縁部支持部材、受け部材、上隅部支持部材、必要に応じて用いられる開口部支持部材などは、好ましくは型内発泡成形品である。発泡樹脂の樹脂種も任意であり特に制限はないが、好ましくは、熱可塑性樹脂であり、例として、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、スチレン系樹脂とオレフィン系樹脂の発泡性複合樹脂粒子が好ましく用いられる。スチレン系樹脂とオレフィン系樹脂の複合樹脂は、ポリオレフィン系樹脂粒子にスチレン系単量体を含浸重合させて得られたものであり、スチレン系樹脂とオレフィン系樹脂の複合樹脂の中でも、スチレン系樹脂とエチレン系樹脂の複合樹脂が好ましい。発泡体の倍率は、梱包しようとする薄板状部材の重量や厚み等を勘案して適宜設定すればよいが、緩衝性がよく、軽量で経済的である点から、好ましくは３０倍（０．３３ｇ／Ｌ）程度である。
【００２１】
また、底ケース、第１の受け壁、第１の側壁、第２の受け壁、第２の側壁、および蓋体は任意の材料で作ることができるが、軽量性や加工性の観点から、段ボールは好適な材料である。
【発明の効果】
【００２２】
本発明によれば、大型であり剛性が低い薄板状部品であっても、４点で支持された安定した立ち姿勢を容易に確保することのできる梱包資材、およびそれを用いた梱包体が得られる。
【発明を実施するための最良の形態】
【００２３】
以下、図面を参照しながら、本発明を好ましい実施の形態に基づき説明する。図１は本発明による梱包体の一例を構成するいくつかの構成部材を説明するための図であり、図２は図１に示した構成部材のいくつかに発泡樹脂からなる支持部材などを取り付けた状態を示す図である。図３は本発明による梱包資材を用いて薄板状部品を梱包した状態の一例を説明するための図であり、図４〜図８はそこで用いる上隅部支持部材の他の態様を説明するための図である。なお、前記上隅部支持部材は、本発明でいう「梱包資材」に相当する部材である。
【００２４】
図示の例において、梱包体Ａは、矩形状である底ケース１と、該底ケース１に立設可能である、いずれも矩形状である、後壁２，第１左側壁３、第１右側壁４を持つ。なお、後壁２は本発明でいう「第１の受け壁」に相当する部材であり、第１左側壁３と第１右側壁４とが本発明でいう「第１の側壁」に相当する部材である。
【００２５】
後壁２には適宜の高さ位置に水平方向に複数の小さな開口２ａが形成されており、第１右側壁４にも縦方向に長い開口４ａが形成されている。さらに、梱包体Ａは、底ケース１に立設可能である前壁５、前記第１左側壁３の外側において底ケース１に立設可能な第２左側壁６、前記第１右側壁４の外側において底ケース１に立設可能な第２右側壁７を持つ。なお、前壁５は本発明でいう「第２の受け壁」に相当する部材であり、第２左側壁６と第２右側壁７とは本発明でいう「第２の側壁」に相当する部材である。
【００２６】
前壁５には適宜の高さ位置に水平方向に複数の小さな開口５ａが形成されており、第２右側壁７には、前記第１右側壁４に形成した開口４ａに対向する位置に、下端側が開放した縦方向の開口７ａが形成されている。梱包体Ａは、省略可能であるが、さらに、蓋体８を持つ。なお、上記した各部材は、好ましくは段ボールで作られる。
【００２７】
本発明による梱包体Ａは、さらに、発泡樹脂からなる複数種類の支持部材を持つ。１つは一対の下縁部支持部材１０ａ，１０ｂであり、図３に示すように、いずれも内側偶部に凹溝１１ａ，１１ｂを多列に形成している。前記凹溝１１ａ，１１ｂは、梱包しようとする薄板状部品Ｂの下偶部あるいはその近傍の形状に応じた形状を持つ。なお、図３において、梱包しようとする薄板状部品Ｂは単に平板状の部材として仮想線で示しているが、薄板状部品Ｂの形状がこれに限らない。
【００２８】
図２に示すように、一対の下縁部支持部材１０ａ，１０ｂは、凹溝１１ａ，１１ｂが対向する姿勢で、底ケース１内の前後方向に所要距離だけ隔離して配置される。なお、図２では、一対の下縁部支持部材１０ａ，１０ｂは底ケース１の前後壁に接するようにして配置してあるが、梱包する薄板状部品Ｂの大きさに応じて一方の下縁部支持部材１０ｂをより前方に位置させることが必要となる場合には、下縁部支持部材１０ｂと底ケース１の後壁との間の隙間に、適宜の埋込材を挿入して、位置決めを行う。下縁部支持部材１０ａ，１０ｂの裏面に凸部を形成し、該凸部に対向する底ケース１の底面位置に開口を形成し、凸部を開口に嵌め入れることによって、位置決めを行うこともできる。
【００２９】
他の支持部材は、薄板状部品Ｂの後縁部を支持するための受け部材２０である。受け部材２０の内側面には、梱包しようとする薄板状部品Ｂの後縁の形状に応じた凹溝２１が多列に形成されており、外側面には凸部２２が適数形成されている。前記した後壁２に形成した複数の小さな開口２ａは前記凸部２２に対応した位置に形成されており、受け部材２０は、その凸部２２を後壁２に形成した開口２ａに嵌め入れることにより、図２に示すように、後壁２に水平方向に取り付けられる。
【００３０】
他の支持部材は、上隅部支持部材３０である。上隅部支持部材３０は前記したように本発明による「梱包資材」に相当する。上偶部支持部材３０の裏面には、梱包しようとする薄板状部品Ｂの上隅部近傍の形状に応じた凹溝３１が多列に形成されている。
【００３１】
必須の構成ではないが、さらに他の支持部材は、薄板状部品Ｂの前縁部を支持するための前縁部支持部材４０である。前縁部支持部材４０の内側面には、梱包しようとする薄板状部品Ｂの前縁の形状に応じた凹溝４１が多列に形成されており、外側面には凸部４２が適数形成されている。前記した前壁５に形成した複数の小さな開口５ａは前記凸部４２に対応した位置に形成されており、前縁部支持部材４０は、その凸部４２を前壁５に形成した開口５ａに嵌め込まれることにより、前壁５に一体とされ、位置決めされる。
【００３２】
必須の構成ではないが、さらに他の支持部材は、開口部支持部材５０である。開口部支持部材５０の下側面には、梱包しようとする薄板状部品Ｂの面内に形成した開口部Ｃの下端側の形状に応じた凹溝５１が多列に形成されている。
【００３３】
上記の梱包体Ａを用いて、薄板状部品Ｂの複数枚を梱包する手順を図２および図３を参照して説明する。最初に、底ケース１の所定の位置に所定距離だけ隔離させて前記した一対の下縁部支持部材１０ａ，１０ｂを取り付ける。次に、底ケース１に対して後壁２と第１左側壁３と第１右側壁４を立設し、後壁２に対して受け部材２０を水平方向に取り付ける。その状態で、梱包しようとする薄板状部品Ｂの所要枚数を、その前後の下偶部近傍を前記下縁部支持部材１０ａ，１０ｂに形成した凹溝１１ａ，１１ｂに差し込み、またその後縁を前記受け部材２０に形成した凹溝２１に差し込むようにして、順次セットしていく。このセッティングにより、薄板状部品Ｂは、下縁偶部の２箇所と後縁部の１箇所の計３箇所で支持された姿勢となる。また、このセッティングは薄板状部品Ｂを前方上方から落とし込むようにして行うことができ、作業は容易である。
【００３４】
次に、３点支持された薄板状部品Ｂの群における上隅部近傍に凹溝３１を挿入するようにして、前記上隅部支持部材３０を取り付けることにより、本発明による梱包体の一形態は完成する。この梱包体において、各薄板状部品Ｂは、周囲の４点が各支持部材の凹溝内で支持された状態となり、安定した立ち姿勢で保持される。
【００３５】
図３に示すように、梱包しようとする薄板状部品Ｂが、その面内に開口部Ｃを有している場合には、前記した開口部支持部材５０をさらに用いることが推奨される。使用に当たっては、４点支持された薄板状部品Ｂの群における前記開口部Ｃ内に、第１右側壁４に形成した開口４ａを通して挿入し、下方に押し下げて、その下端側の形成した凹溝５１内に開口部周縁を挿入する。それにより、輸送中の振動により、隣接する薄板状部品Ｂが互いに接触したりあるいは開口部Ｃの周縁にクラックが発生するのを阻止することができる。
【００３６】
４点支持された薄板状部品Ｂの姿勢をさらに安定させようとする場合には、前縁部支持部材４０をさらに用いる。各薄板状部品Ｂの前縁を前部支持部材４０に形成した凹溝４１内に挿入させることにより、前縁部支持部材４０は４点支持された薄板状部品Ｂの群に取り付けられ、薄板状部品Ｂの群は５点で支持された状態となる。図１に示すように開口５ａを備えた前壁５を用いる場合には、前記開口５ａが形成された高さ位置で前縁部支持部材４０を薄板状部品Ｂの群に取り付ける。その後で、前壁５を取り付けると、前記前縁部支持部材４０の外側面に形成された凸部４２が前壁５の開口５ａ内に入り込むようになり、前縁部支持部材４０の位置決めがなされる。
【００３７】
さらに、前記のようにして、底ケース１に前壁５を立設し、第１左側壁３の外側に第２左側壁６を立設する。さらに、前記第１右側壁４の外側に、第２右側壁７をそこに形成した下端が開放した開口７ａ内に前記開口部支持部材５０を通過させながら、押し下げるようにして立設する。最後に、前記蓋体８をすることにより、本発明による他の態様の梱包体となる。この態様では、開口部支持部材５０は第２右側壁７に形成した開口７ａの上端によって上から押さえられるので、開口部支持部材５０は安定した姿勢を維持することができる。なお、図示しないが、第１左側壁３および第２左側壁６にも、同様な開口４ａ，７ａを形成しておいてもよい。
【００３８】
すべての薄板状部材Ｂを前記３点支持状態とした後で、一体物である前記上隅部支持部材３０を薄板状部材Ｂの群の上隅部近傍に取り付ける作業が困難を伴う場合がある。図４は、その作業を容易にする他の形態の上隅部支持部材６０を示している。上隅部支持部材６０は、複数個の分割された支持部材構成体６１と、該複数個の分割された支持部材構成体６１を自由に分離しないように連接する連結体６５とで構成される。各支持部材構成体６１は、裏面側に梱包しようとする薄板状部品Ｂの上隅部近傍の形状に応じた１個の凹溝６２が形成されており、上面側には前記凹溝６２に直交する方向に切り欠き６３が形成されている。連結体６５は、この例では、断面Ｌ型の長尺部材であり、その縦辺６６が支持部材構成体６１に形成した凹溝６３内に入り込むようになっている。
【００３９】
この上隅部支持部材６０は次のようにして使用される。すなわち、１枚の薄板状部品Ｂを前記３点支持状態とした後に、その上偶部近傍に凹溝６２を差し込むようにして１個の支持部材構成体６１を取り付ける。以下、その作業をすべての薄板状部品Ｂに対して個々に行い、最後に、既に取り付けてある全部の支持部材構成体６１を整列させ、その切り欠き６３の全部を通過するようにして連結体６５の縦辺６６を差し込む。それにより、すべての支持部材構成体６１は自由に分離することのない実質的に一体化したものとなり、周囲の４点が確実に支持された各薄板状部材Ｂの群ができあがる。
【００４０】
図５はさらに他の形態の上隅部支持部材６０Ａを示している。前記上隅部支持部材６０と同様、この上隅部支持部材６０Ａも、複数個の支持部材構成体６１と連結体６５とからなる。各支持部材構成体６１には凹溝６２は形成されているが、切り欠き６３は形成されない。代わりに、凹溝６２に直交する方向の貫通孔６７が形成されている。連結体６５は前記貫通孔６７に挿通できる棒部材であり、両端に抜け止め６８が着脱自在に取り付けてある。
【００４１】
図６はさらに他の形態の上隅部支持部材６０Ｂを示している。この上隅部支持部材６０Ｂは、複数個の支持部材構成体６１のみからなり、連結体６５は備えない。各支持部材構成体６１は凹溝６２を有すると共に、一の支持部材構成体６１に当接する面には１つの凸部６９ａが形成され、他の支持部材構成体６１に当接する面には、前記凸部６９ａが嵌め込まれる凹部７０ａが形成されている。
【００４２】
図７はさらに他の形態の上隅部支持部材６０Ｃを示している。この上隅部支持部材６０Ｃは、前記した上隅部支持部材６０と同様の複数個の支持部材構成体６１と連結体６５とからなる。但し、各支持部材構成体６１には、一の支持部材構成体６１に当接する面には複数の凸部６９ｂが形成され、他の支持部材構成体６１に当接する面には、前記凸部６９ｂが嵌め込まれる凹部７０ｂ（図７では図示されない）が形成されている点で、相違する。
【００４３】
図８はさらに他の形態の上隅部支持部材６０Ｄを示している。この上隅部支持部材６０Ｄは、前記した上隅部支持部材６０と同様の複数個の支持部材構成体６１と連結体６５とからなる。但し、上隅部支持部材６０における支持部材構成体６１は１個の凹溝６２が形成されているのに対し、上隅部支持部材６０Ｄを構成する各支持部材構成体６１には、２個の凹溝６２，６２が形成されている点で相違する。
【００４４】
上記した上隅部支持部材６０Ａ〜６０Ｄが上隅部支持部材６０と同様にして使用され得ることは、説明を要しないであろう。また、上隅部支持部材６０Ａ〜６０Ｄは、図１〜図３に基づき説明した梱包体Ａにおける構成部材の一部として用い得るばかりでなく、立ち姿勢で複数枚の薄板状部品を並行に梱包するときの他の任意の梱包体の構成部材の一部として用い得ることも理解されよう。
【００４５】
なお、図示しないが、図１〜図３に基づき説明した梱包体Ａにおいて、後壁２と第１左側壁３と第１右側壁４とを一体物として作ることもできる。さらに、前壁５と第２左側壁６と第２右側壁７とを一体物として作ることもできる。
【図面の簡単な説明】
【００４６】
【図１】本発明による梱包体の一例を構成する一部の構成部材を説明する図。
【図２】図１に示した構成部材のいくつかに発泡樹脂からなる支持部材等を取り付けた状態を示す図。
【図３】本発明による梱包体を用いて薄板状部品を梱包した状態の一例を説明するための図。
【図４】本発明による梱包資材である上隅部支持部材の他の態様を説明するための図。
【図５】本発明による梱包資材である上隅部支持部材のさらに他の態様を説明するための図。
【図６】本発明による梱包資材である上隅部支持部材のさらに他の態様を説明するための図。
【図７】本発明による梱包資材である上隅部支持部材のさらに他の態様を説明するための図。
【図８】本発明による梱包資材である上隅部支持部材のさらに他の態様を説明するための図。
【符号の説明】
【００４７】
Ａ…梱包資材、
Ｂ…薄板状部品、
Ｃ…薄板状部品の面内に形成した開口部、
１…底ケース、
２…後壁（第１の受け壁）、
３…第１左側壁（第１の側壁）、
４…第１右側壁（第１の側壁）、
２ａ、４ａ、５ａ、７ａ…開口、
５…前壁（第２の受け壁）、
６…第２左側壁（第２の側壁）、
７…第２右側壁（第２の側壁）、
８…蓋体、
１０ａ，１０ｂ…下縁部支持部材、
１１ａ，１１ｂ…凹溝、
２０…受け部材、
２１…凹溝、
２２…凸部、
３０…上隅部支持部材、
３１…凹溝、
４０…前縁部支持部材、
４１…凹溝、
４２…凸部、
５０…開口部支持部材、
５１…凹溝、
６０、６０Ａ〜６０Ｄ…他の形態の上隅部支持部材、
６１…支持部材構成体、
６２…凹溝、
６３…切り欠き
６５…連結体、
６６…縦辺
【図１】
2010095298.tif 000003
【図２】
2010095298.tif 000004
【図３】
2010095298.tif 000005
【図４】
2010095298.tif 000006
【図５】
2010095298.tif 000007
【図６】
2010095298.tif 000008
【図７】
2010095298.tif 000009
【図８】
2010095298.tif 000010